(57)【要約】      （修正有）【課題】大規模な商用化を行うことのできる養殖照明制御システムを提供する。【解決手段】養殖照明制御システムは、密閉養殖環境中に設けられた一列または複数列の照明器具１０１と、インタフェースモジュール１０２３とを備え、各列の照明器具１０１が通信線を介してインタフェースモジュールの第１端と接続し、各列の照明器具は１つまたは複数の照明器具を含み、各照明器具は緑色ＬＥＤ、青色ＬＥＤ及び白色ＬＥＤを含み、インタフェースモジュール１０２３の第２端が制御モジュール１０２２と接続する。インタフェースモジュール１０２３を介して一列または複数列の照明器具１０１と接続し、各照明器具１０１は異なる色のＬＥＤ粒子を含み、制御モジュール１０２２により照明器具１０１の発光状態変化を自動制御する。【選択図】図４
2019024490.tif 000002
【特許請求の範囲】
【請求項１】
一列または複数列の照明器具を含み、各列の照明器具はそれぞれ制御装置と接続し、各列の照明器具は１つまたは複数の照明灯具を含み、各照明器具は複数のＬＥＤを含み、
制御装置は、
クラウドサーバにデータをアップロードする、あるいはクラウドサーバが送信する第１制御命令を受信する無線通信モジュールと、
前記無線通信モジュールと接続し、前記第１制御命令に基づいて前記照明器具に制御信号を送信し、前記照明器具の発光状態を制御する制御モジュールと、
ユーザ操作に基づいてクラウドサーバを介して制御装置に前記第１制御命令を送信する電子機器とを含む
養殖照明制御システム。
【請求項２】
前記制御装置はさらにインタフェースモジュールを含み、
前記インタフェースモジュールの第１端は前記制御モジュールと接続し、第２端は各列の照明器具と接続する
請求項１に記載の養殖照明制御システム。
【請求項３】
前記制御モジュールはプログラマブルロジックコントローラであり、前記インタフェースモジュールはＲＳ４８５インタフェースである
請求項２に記載の養殖照明制御システム。
【請求項４】
前記照明器具は緑色ＬＥＤ、青色ＬＥＤおよび白色ＬＥＤを含む
請求項１に記載の養殖照明制御システム。
【請求項５】
前記制御装置はさらにタッチパネルを含み、
前記タッチパネルは前記制御モジュールと接続し、ユーザ操作に基づいて前記制御モジュールに第２制御信号を送信し、
前記制御モジュールは記第２制御命令に基づいて前記照明器具に制御信号を送信し、前記照明器具の発光状態を制御する
請求項２に記載の養殖照明制御システム。
【請求項６】
前記制御装置はさらに接続線端子を含み、
前記接続線端子の一端がＲＳ４８５インタフェースの第２端と接続し、他端がＲＳ４８５通信線を介して一列または複数列の照明器具と接続する
請求項３に記載の養殖照明制御システム。
【請求項７】
前記制御装置はさらにアラートモジュールを含み、
前記アラートモジュールは前記制御モジュールと接続し、制御モジュールが送信するアラート信号に基づいてアラートを行う
請求項１に記載の養殖照明制御システム。
【請求項８】
前記タッチパネルは前記制御モジュールが送信するアラート信号に基づいて、故障照明器具の位置情報を表示する
請求項５に記載の養殖照明制御システム。
【請求項９】
前記タッチパネルはモード切替ボタンを含み、
前記モード切替ボタンは、ユーザ操作に基づいて制御モジュールにモード切替命令を送信し、
前記制御モジュールは前記モード切替命令に基づいて前記照明器具を制御し、第１モードと第２モードとを切替える
請求項５に記載の養殖照明制御システム。
【請求項１０】
前記第１モードは養殖モードであり、前記第２モードは清掃モードである
請求項９に記載の養殖照明制御システム。
【請求項１１】
前記養殖照明制御システムは、
密閉養殖環境中に設けられ、前記密閉養殖環境中の照度、スペクトル、温度および湿度情報のうちの１つまたは複数を収集し、前記制御装置に送信する照度計、分光器、温度センサおよび湿度センサのうちの１つまたは複数をさらに含む
請求項１に記載の養殖照明制御システム。
【発明の詳細な説明】
【技術分野】
【０００１】
本開示は養殖技術分野に関し、特に養殖照明制御システムに関する。
【背景技術】
【０００２】
光照射は家禽の成長、発育過程において重要な環境条件の一つであり、異なる色温度の光線は家禽の成長、発育に極めて重要な作用を起こし、ユーザの養殖環境光照射制御に対するニーズが高まっている。そのため、養殖照明器具、発光制御に対するニーズがより高くなっている。
【発明の概要】
【発明が解決しようとする課題】
【０００３】
現在の養鶏場照明制御システムはタイマースイッチまたは０−１０Ｖ調光制御システムであり、自動化した照明制御を実現できず、大規模な商用化を行うことができない。
【０００４】
これに鑑みて、本開示は、自動化した照明制御を簡潔に実現するとともに、大規模な商用化を行うことのできる養殖照明制御システムおよび方法を提供する。
【課題を解決するための手段】
【０００５】
前記技術的課題を解決するために、本開示の一実施例によると、一列または複数列の照明器具を含み、各列の照明器具はそれぞれ制御装置と接続し、各列の照明器具は１つまたは複数の照明灯具を含み、各照明器具は複数のＬＥＤを含み、制御装置は、クラウドサーバにデータをアップロードする、あるいはクラウドサーバが送信する第１制御命令を受信する無線通信モジュールと、前記無線通信モジュールと接続し、前記第１制御命令に基づいて前記照明器具に制御信号を送信し、前記照明器具の発光状態を制御する制御モジュールと、ユーザ操作に基づいてクラウドサーバを介して制御装置に前記第１制御命令を送信する電子機器とを含む養殖照明制御システムを提供する。
【０００６】
前記の養殖照明制御システムについて、実現可能な方法において、前記制御装置はさらにインタフェースモジュールを含み、前記インタフェースモジュールの第１端は前記制御モジュールと接続し、第２端は各列の照明器具と接続する。
【０００７】
実現可能な方法において、前記制御モジュールはプログラマブルロジックコントローラＰＬＣであり、前記インタフェースモジュールはＲＳ４８５インタフェースである。
【０００８】
実現可能な方法において、前記照明器具は緑色ＬＥＤ、青色ＬＥＤおよび白色ＬＥＤを含む。
【０００９】
実現可能な方法において、前記制御装置はさらにタッチパネルを含み、前記タッチパネルは前記制御モジュールと接続し、ユーザ操作に基づいて前記制御モジュールに第２制御信号を送信し、前記制御モジュールは記第２制御命令に基づいて前記照明器具に制御信号を送信し、前記照明器具の発光状態を制御する。
【００１０】
実現可能な方法において、前記制御装置はさらに接続線端子を含み、前記接続線端子の一端がＲＳ４８５インタフェースの第２端と接続し、他端がＲＳ４８５通信線を介して一列または複数列の照明器具と接続する。
【００１１】
実現可能な方法において、前記制御装置は、前記制御モジュールと接続し、制御モジュールが送信するアラート信号に基づいてアラートを行うアラートモジュールをさらに含む。
【００１２】
実現可能な方法において、前記タッチパネルは前記制御モジュールが送信するアラート信号に基づいて、故障照明器具の位置情報を表示する。
【００１３】
実現可能な方法において、前記タッチパネルはモード切替ボタンを含み、前記モード切替ボタンは、ユーザ操作に基づいて制御モジュールにモード切替命令を送信し、前記制御モジュールは前記モード切替命令に基づいて前記照明器具を制御し第１モードと第２モードとを切替える。
【００１４】
実現可能な方法において、前記第１モードは養殖モードであり、前記第２モードは清掃モードである実現可能な方法において、前記システムは、密閉養殖環境中に設けられ、前記密閉養殖環境中の照度、スペクトル、温度および湿度情報のうちの１つまたは複数を収集し、前記制御装置に送信する照度計、分光器、温度センサおよび湿度センサのうちの１つまたは複数をさらに含む。
【発明の効果】
【００１５】
無線通信モジュールによりクラウドサーバにデータをアップロードし、およびクラウドサーバが送信する第１制御命令を受信し、本開示の養殖照明システムによると、ユーザは電子機器（例えば携帯電話、タブレットＰＣなどの端末）により養殖場に対しリモートコントロール、自動化した照明モニタおよび制御を行い、かつユーザの操作に役立ち、簡潔、迅速に養殖場に対する自動化した照明制御を実現し、大規模な商業化を行うことができる。
【図面の簡単な説明】
【００１６】
以下図面を参照して例示的な実施例の詳細な説明に基づき、本開示の他の特徴および観点を明確にする。
【００１７】
明細書に含まれかつ明細書の一部を構成する図面は明細書とともに本開示の例示的な実施例、特徴および観点を示し、本開示の原理を説明するためのものである。
【図１】図１は本開示の一実施例の養殖照明制御システムを示す図である。
【図２Ａ】図２Ａは本開示の一実施例による養殖照明制御システム応用シーンを示す第一の図である。
【図２Ｂ】図２Ｂは本開示の一実施例による養殖照明制御システム応用シーンを示す第二の図である。
【図３】図３は本開示の一実施例の養殖照明制御システムを示す図である。
【図４】図４は本開示の一実施例の養殖照明制御システムを示す図である。
【発明を実施するための形態】
【００１８】
以下、図面を参照して本開示の例示的な各実施例、特徴および観点を詳細に説明する。
【００１９】
図面において同じ符号は機能が同じまたは類似する要素を示す。図面において実施例の各観点を示すが、特に指示しない限り、縮尺どおりに描く必要はない。
【００２０】
ここで「例示的」という用語は「例、実施例または説明的に用いられる」ことを意味する。ここで「例示的」として説明される如何なる実施例も他の実施例よりも好ましいまたは有利なものとして解釈されるべきではない。
【００２１】
また、本開示をより良く説明するために、下記の具体的な実施の態様において多くの具体的な詳細を示す。当業者は、これら具体的な詳細に関わらず、本開示は同様に実施可能であると理解すべきである。一部の実施例において、本開示の趣旨を明確にするために、当業者にとって周知の方法、手段、要素および回路について詳細な説明は行わない。
【００２２】
（実施例１）
図１は本開示の一実施例の養殖照明制御システムを示す図であり、当該養殖照明制御システムは養殖場、例えば養鶏場、養鴨場などに応用され、さらに室内植物栽培などに応用される。
【００２３】
図１に示されるように、当該養殖照明制御システムは主に一列または複数列の照明器具１０１を含み、各照明器具１０１はそれぞれ制御装置１０２と接続し、各照明器具１０１は具体的に１つまたは複数の照明器具を含み、各照明器具は複数のＬＥＤ（Ｌｉｇｈｔ  Ｅｍｉｔｔｉｎｇ  Ｄｉｏｄｅ、発光ダイオード）を含み、制御装置１０２は、無線通信モジュール１０２１を含み、前記無線通信モジュール１０２１はクラウドサーバにデータをアップロードし、または、クラウドサーバが送信する第１制御命令を受信し、制御モジュール１０２２は、前記無線通信モジュール１０２１と接続し、前記制御モジュール１０２２は前記第１制御命令に基づいて前記照明器具に制御信号を送信し、前記照明器具の発光状態を制御し、電子機器１０３は、ユーザ操作に基づいてクラウドサーバを介して制御装置１０２に前記第１制御命令を送信する。
【００２４】
無線通信モジュールによりクラウドサーバにデータをアップロードし、クラウドサーバが送信する第１制御命令を受信し、本開示の養殖照明システムによると、ユーザは電子機器（例えば携帯電話、タブレットＰＣなどの端末）により養殖場に対しリモートコントロール、自動化した照明モニタおよび制御を行い、かつユーザの操作に役立ち、簡潔、迅速に養殖場に対する自動化した照明制御を実現し、大規模な商業化を行うことができる。
【００２５】
例を挙げると、電子機器１０３は携帯電話、タブレットＰＣ、パソコンなどの端末機器でもよい。電子機器１０３には相応するアプリケーションプログラムがインストールされ、当該アプリケーションプログラムスタート後、電子機器１０３の表示インタフェース上に操作ボタン（例えば、養殖モードスタート、一時停止、ストップ、清掃モードスタート、ストップ、輝度調節など）を表示する。電子機器１０３はさらに機械式の操作ボタンを含むこともできるが、本開示はこれに限定されない。ユーザは指、スタイラスなどにより前記操作ボタンを操作し、電子機器１０３はユーザの操作に基づいてクラウドサーバに第１制御命令を送信する。例えば、ユーザは指により養殖モードスタートボタンをタッチし、電子機器１０３はユーザタッチを検出した後、クラウドサーバに養殖モードスタートに対応する第１制御命令を送信し、クラウドサーバは第１制御命令を受信した後、制御装置１０２に転送する。制御装置１０２は第１制御命令に基づいて照明器具に制御信号を送信し、照明器具の発光状態を制御する。
【００２６】
無線通信モジュール１０２１は、さらに、クラウドサーバにデータをアップロードでき、当該データは制御モジュール１０２が受信した照明器具の発光状態、照明器具の故障アラート信号、故障照明器具の具体的位置などのデータであるが、本開示は具体的にこれに限定されない。
【００２７】
なお、制御装置１０２により行われる操作は、いずれも電子機器１０３により実現され、また、制御モジュール１０２２が受信する照明器具が送信したデータ、またはユーザが行う操作はいずれもクラウドサーバにより電子機器１０３と同期する。
【００２８】
一列の照明器具１１が複数の照明器具を含む場合、各照明器具はハンドシェイクのＲＳ４８５接続を採用でき、直列の方法を採用することもできるが、本開示はこれに限定されない。異なる列の照明器具は単独で制御できる。各照明器具は複数のＬＥＤを含み、複数のＬＥＤの色は同じでもよく、異なっても良い。
【００２９】
実現可能な方法において、養殖形式または養殖空間の大きさの違いに基づいて、当該システムは具体的に一列または複数列の照明器具１０１を含み、具体的には、白羽鶏を例にすると、当該システムは平飼い方式に応用でき、ケージ飼い方式に応用することもできる。
【００３０】
図２Ａおよび図２Ｂはそれぞれ本開示の一実施例による養殖照明制御システム応用シーンを示す図である。
【００３１】
図２Ａに示されるように平飼い方式に応用する時、各列の照明器具は鶏舎の上部、例えば鶏舎の屋根に設けられる。平飼い鶏舎の大きさに応じて平飼い鶏舎中に一列または複数列の照明器具１１を設けることができ、平飼い鶏舎の大きさに応じて平飼い鶏舎中に各列の照明器具を接続する照明器具数を設けることもでき、例えば、平飼いモードでは、本開示の養殖照明制御システムは１９８個の照明器具を接続することができる。本開示はこれに限定されない。
【００３２】
図２Ｂに示されるようにケージ飼い方式に応用する時、図２Ｂ中の四角形はバードケージ１４を示し、照明器具はバードケージの屋根に設けられ、バードケージの大きさに応じて各バードケージ中に一列または複数列の照明器具を設けることができ、バードケージの数に応じて各列の照明器具を接続する照明器具数を設けることもでき、本開示はこれに限定されない。
【００３３】
図３は本開示の一実施例の養殖照明制御システムの構成を示す図であり、図３に示されるように、実現可能な方法において、前記システムは複数の制御装置１０２を含み、異なる制御装置１０２は異なる養殖環境中に位置し、前記第１制御命令中に対応する制御装置１０２のアドレス情報が含まれ、クラウドサーバは当該第１制御命令を受信した後、前記第１制御命令を解析し、制御装置１０２のアドレス情報を取得し、当該アドレス情報に基づいて前記第１制御命令をアドレス情報に対応する制御装置１０２に送信する。制御装置１０２中の無線通信モジュール１０２１は当該第１制御命令を受信した後、それを制御モジュール１０２２に送信し、制御モジュール１０２２は記憶したプログラムに基づいて照明器具に制御信号を送信し、照明器具の発光状態を制御する。
【００３４】
前記実施例の養殖照明制御システムにより、同一の電子機器で複数の養殖環境中の照明器具の発光状態の制御を実現でき、ユーザ操作に役立つ。
【００３５】
実現可能な方法において、前記無線通信モジュール１０２１とクラウドサーバ間の通信は、ブルートゥース（登録商標）、ＷｉＦｉ、ＺｉｇＢｅｅ、ＮＦＣ（Ｎｅａｒ  Ｆｉｅｌｄ  Ｃｏｍｍｕｎｉｃａｔｉｏｎ、近接距離ワイヤレス通信技術）、４Ｇなどののいずれかの技術を用いることができ、言い換えると、前記無線通信モジュールはブルートゥース（登録商標）モジュール、ＷｉＦｉモジュール、ＺｉｇＢｅｅ、ＮＦＣあるいは４Ｇ通信モジュールなどであり、制御モジュール１０２２はマクロプロセッサ、ＰＬＣ（Ｐｒｏｇｒａｍｍａｂｌｅ  Ｌｏｇｉｃ  Ｃｏｎｔｒｏｌｌｅｒ、プログラマブルロジックコントローラ）などである。本開示の無線通信モジュールと制御モジュールの実現方法は具体的に限定されない。
【００３６】
図４は本開示の一実施例の養殖照明制御システムを示す図であり、図４に示されるように、実現可能な方法において、制御装置１０２は、さらにインタフェースモジュール１０２３を含み、当該インタフェースモジュール１０２３の第１端は制御モジュール１０２２と接続し、第２端は各照明器具１０１と接続する。
【００３７】
実現可能な方法において、インタフェースモジュール１０２３はＲＳ４８５インタフェースでもよく、他の直列通信インタフェース、例えばＲＳ４２２、ＲＳ２３２などでもよい。
【００３８】
ＰＬＣを制御モジュール１０２２として例とすると、当業者は養殖サイクルに基づいて対応する操作命令を編集しＰＬＣに記憶し、プログラム起動後、ＰＬＣはＲＳ４８５インタフェースを介して、Ｍｏｄｂｕｓプロトコルに基づいて命令、例えばクエリ命令、ブロード制御命令などを出力し、照明器具の発光状態を照会または制御する。ＰＬＣはさらにＲＳ４８５インタフェースを介して照明器具がフィードバックまたは送信するメッセージを受信し、受信したメッセージに基づいて照明器具の位置情報などを取得することもできる。
【００３９】
例を挙げると、制御モジュール１０２２は各照明器具のアドレスに基づいてそれに命令（例えば、クエリ命令、制御号令など）を送信でき，照明器具のアドレスを照会し、または当該照明器具の発光状態などを制御し、制御モジュール１０２２はさらに照明器具が送信するデータを受信でき、データ中の機器アドレス、機能コードなどに基づいて対応する操作、例えば、故障表示、アラートなどを実行できる。具体的なプロトコル内容として、当業者は実際の必要に応じて定義でき、本開示はこれに限定されない。
【００４０】
なお、照明器具はＲＳ４８５インタフェースに対応するＲＳ４８５変換回路を含み、照明器具は制御モジュール１０２２が送信した命令を受信した後、ＲＳ４８５変換回路により命令をＭＣＵ（Ｍｉｃｒｏｃｏｎｔｒｏｌｌｅｒ  Ｕｎｉｔ）のシリアルポート指令に変換することにより、シリアルポート指令に基づいて灯具を制御し対応する光照射を行わせる。
【００４１】
ＲＳ４８５インタフェースについて、ケージ飼い方式では最大９５０４個の照明器具を接続できるので、本開示の養殖照明制御システムは大型の養殖環境中に応用でき、大規模な商用化が可能である。
【００４２】
実現可能な方法において、各照明器具は緑色ＬＥＤ、青色ＬＥＤおよび白色ＬＥＤを含むことができる。異なる色のＬＥＤは異なる回路中に接続でき、同じ色のＬＥＤは同じ回路中に接続でき、異なる回路中に接続することもできる。例えば、すべての緑色ＬＥＤを同一の回路中に接続し、すべての青色ＬＥＤを同一の回路中に接続し、すべての白色ＬＥＤを同一の回路中に接続するとともに、緑色ＬＥＤ、青色ＬＥＤおよび白色ＬＥＤをいずれも異なる回路に配置する。これにより異なる色のＬＥＤに対する単独制御を実現でき、異なる色のＬＥＤ発光状態は他の色のＬＥＤの影響を受けない。
【００４３】
これにより、養殖サイクル中のスペクトルに対する要求に応じて異なる色のＬＥＤの発光状態を調整することができる。
【００４４】
インタフェースモジュール１０２３を介して一列または複数列の照明器具１０１と接続し、各照明器具は異なる色のＬＥＤ粒子を含み、制御モジュールにより照明器具の発光状態変化を自動制御する。本開示の養殖照明制御システムによると自動化した照明制御を実現でき、大規模な商用化を行うことができる。
【００４５】
図４に示されるように、実現可能な方法において、当該制御装置１０２は、さらに、接続線端子１０２５を備え、前記接続線端子１０２５の一端がＲＳ４８５インタフェースの第２端と接続し、他端がＲＳ４８５通信線を介して一列または複数列の照明器具１０１と接続する接続線端子１０２５をさらに備える。接続線端子１０２５は回線接続に役立ち、特に制御する照明器具の列数が比較的多い場合に役立つ。
【００４６】
図４に示されるように、実現可能な方法において、制御装置は、さらに、タッチパネル１０２６を含み、前記タッチパネル１０２６は前記制御モジュール１０２２と接続し、ユーザ操作に基づいて前記制御モジュール１０２２に第２制御命令を送信し、前記制御モジュール１０２２は前記第２制御命令に基づいて前記照明器具に制御信号を送信し、前記照明器具の発光状態を制御する。
【００４７】
例を挙げると、タッチパネル１０２６はＬＣＤ（Ｌｉｑｕｉｄ  Ｃｒｙｓｔａｌ  Ｄｉｓｐｌａｙ、液晶ディスプレイ）タッチパネル、ＬＥＤタッチパネルなどである。タッチパネル１０２６は操作ボタン（例えば養殖モードスタート、一時停止、ストップ、清掃モードスタート、一時停止、輝度調節など）を表示し、ユーザは指、スタイラスなどにより前記操作ボタンを操作し、タッチパネル１０２６はユーザの操作に基づいて制御モジュール１０２２に第２制御信号を送信する。例えば、ユーザが指により養殖モードスタートボタンにタッチし、タッチパネル１０２６がユーザタッチを検出した後、制御モジュール１０２２に制御信号を送信し、制御モジュール１０２２が制御信号を受信した後、記憶したプログラムに基づいて、インタフェースモジュール１０２３を介して照明器具に制御命令を送信し、照明器具の発光状態を制御する。タッチパネル１０２６により行われる操作は、いずれも電子機器１０３により実現される。
【００４８】
図４に示されるように、実現可能な方法において、制御装置１０２は、具体的に、アラートモジュール１０２４を含み、前記アラートモジュール１０２４は前記制御モジュール１０２２と接続し、制御モジュール１０２２が送信するアラート信号に基づいてアラートを行う。
【００４９】
実現可能な方法において、アラートモジュール１０２４は音または光信号などの人に注意を促す信号を発することのできる装置であり、例えば、ブザー、スピーカーあるいはフラッシュなどでもよい。
【００５０】
照明器具が故障した時（例えば、ストロボスコピック、不点灯など）、インタフェースモジュール１０２３を介して制御モジュール１０２２にメッセージ（アラート信号）を送信し、ＲＳ４８５インタフェースモジュールを例にすると、照明器具はＭｏｄｂｕｓプロトコルに基づいて制御モジュール１０２２にメッセージを送信し、前記メッセージには照明器具の位置情報および故障情報が含まれる。制御モジュール１０２２は照明器具が送信したメッセージを受信し、メッセージ中の機器アドレス、機能コードなどに基づいて照明器具の位置情報および故障情報を取得し、故障情報に基づいてアラートを行い、例えば、ブザー音を発して養殖作業員に注意を促すことなどができる。
【００５１】
このように、養殖作業員が適宜検査および修理を行い、養殖死亡率を低下させるように、照明器具が故障した時、適宜、養殖作業員に注意を促すことにより、養殖作業員の経済損失を減らすことができる。
【００５２】
実現可能な方法において、制御モジュール１０２２はさらに取得した照明器具の位置情報および故障情報をクラウドサーバを介して電子機器１０３に送信し、電子機器１０３は以上の情報を受信した後、ブザー音を発して養殖作業員に注意を促し、表示インタフェースに１つまた複数の故障照明器具の位置情報および故障情報などを表示する。
【００５３】
実現可能な方法において、制御モジュール１０２２はさらに受信した照明器具が送信したメッセージを電子機器１０３に送信し、電子機器１０３は受信したメッセージ中の機器アドレス、機能コードなどに基づいて照明器具の位置情報および故障情報を取得し、故障情報に基づいてアラートを行い、例えば、ブザー音を発して養殖作業員に注意を促し、表示インタフェースに１つまた複数の故障照明器具の位置情報および故障情報などを表示する。
【００５４】
実現可能な方法において、タッチパネル１０２６はさらに制御モジュール１０２２が送信するアラート信号に基づいて、故障照明器具の位置情報を表示する。
【００５５】
上述したように、照明器具が故障した時（例えば、ストロボスコピック、不点灯など）、インタフェースモジュール１０２３を介して制御モジュール１０２２にメッセージ（アラート信号）を送信し、前記メッセージには照明器具の位置情報および故障情報が含まれる。制御モジュール１０２２は照明器具が送信したメッセージを受信し、メッセージ中の機器アドレス、機能コードなどに基づいて照明器具の位置情報および故障情報を取得し、制御モジュール１０２２はタッチパネル１５に表示制御信号を送信し、タッチパネル１０２６を制御して故障照明器具の位置情報および故障情報などを表示する。
【００５６】
図４に示されるように、実現可能な方法において、前記タッチパネル１０２６はさらに、ユーザ操作に基づいて制御モジュール１０２２にモード切替命令を送信するモード切替ボタン１０２６１を含み、前記制御モジュール１０２２は前記モード切替命令に基づいて前記照明器具を制御し第１モードと第２モードとを切替える。
【００５７】
ここで、前記第１モードは養殖モードであり、前記第２モードは清掃モードである。
養殖モードはブロイラー養殖モードであるが、他の鳥類または植物などの養殖モードでもよく、本開示はこれに限定されない。
【００５８】
各照明器具が緑色ＬＥＤ、青色ＬＥＤおよび白色ＬＥＤを含むことを例として、第１モードにおいて、緑色ＬＥＤおよび／または青色ＬＥＤは発光し、白色ＬＥＤは発光せず、第２モードにおいて、白色ＬＥＤは発光し、緑色ＬＥＤおよび青色ＬＥＤは発光しない。言い換えると、養殖モードにおいて、緑色ＬＥＤおよび／または青色ＬＥＤは発光し、白色ＬＥＤは発光せず、清掃モードにおいて、白色ＬＥＤは発光し、緑色ＬＥＤおよび青色ＬＥＤは発光しない。
【００５９】
例を挙げると、ユーザが指により切替モードボタン１０２６１にタッチし、タッチパネル１０２６がユーザタッチを検出した後、制御モジュール１０２２にモード切替信号を送信する。制御モジュール１０２２がモード切替信号を受信した後、モード切替信号に基づいて、インタフェースモジュール１０２３を介して照明器具に制御命令を送信し、照明器具を制御して対応するモードに切替える。例えば、隣接する２つの養殖サイクルの中間間隔または養殖サイクル過程において、鶏舎を消毒するおよび衛生上清掃する必要があり、この時の光照射について養殖モードを継続使用する光照射は適さず、ユーザが清掃モードスタートボタン１０２６１にタッチして、タッチパネル１０２６が制御モジュール１０２３にモード切替信号を送信し、制御モジュール１０２２が照明器具に制御命令を送信し、照明器具を制御して清掃モードに切替え、清掃モードにおいて、白色ＬＥＤは発光し、緑色ＬＥＤと青色ＬＥＤは発光しない。この時、養殖環境中で使用されるのは一般照明の白色光照射であり、光照射条件は養殖作業員が鶏舎に入って清掃を行うことに適する。
【００６０】
このように、照明器具を異なる動作モードに調節することで、異なる作業モードでの光照射に対する異なるニーズを提供し、ユーザ体験を提供することができる。
【００６１】
実現可能な方法において、当該システムは、さらに、照度計、分光器、温度センサおよび湿度センサのうち１つまたは複数を含み、密閉養殖環境中に設けられ、前記密閉養殖環境中の光照射、スペクトル、温度および湿度情報のうち１つまたは複数を収集し、前記制御装置１０２に送信する。
【００６２】
照度計を例にすると、１つまたは複数の照度計を密閉養殖環境中に設けられ、例えば、平飼い鶏舎において底面寄りの位置に設けられ、ケージ飼い鶏舎においてはバードケージ１４中に設けられ、収集した照度情報を鶏が受けることのできる照度により近づけるのに役立つ。養殖過程において、照度計は底面またはバードケージ１４中の照度を収集し、通信線を介して、インタフェースモジュール１０２３を経てメッセージを制御モジュール１０２２に送信する。制御モジュール１０２３は受信したメッセージに基づいて照度計が検出した照度を取得し、検出した照度と養殖サイクルで現在必要な照度とを対比し、両者の差分値が一定の限界値を超えた場合、制御モジュール１０２２は照明器具に輝度調節命令を送信し、照明器具の発光輝度を調節する。機器デバッグ時、制御モジュール１０２２は照度計がフィードバックする検出結果に基づいて、プログラムの制御命令を調節し、実際の照度が養殖の要求に適合することを保証し、人工調節の時間およびコストを節約することもでき、かつ使用し易い。照会、対比の便宜のために、制御モジュール１０２２は養殖サイクルの各段階の標準照度情報を記憶することもできる。
【００６３】
複数の照度計を設ける場合、制御モジュール１０２２は照度計の位置情報に基づいて照度計周囲の照明器具の発光状態を調節することもできる。例えば、制御モジュール１０２２は受信したメッセージに基づいて照度計の位置情報を取得し、位置情報に基づいて周囲の照明器具のＭＡＣ（Ｍｅｄｉａ  Ａｄｄｒｅｓｓ  Ｃｏｎｔｒｏｌ）アドレスを照会することにより、照度計周囲に位置する照明器具に輝度調節命令を送信し、一部の照明器具の発光輝度を制御する。
【００６４】
同様に、分光器、温度センサまたは湿度センサに基づいて養殖環境中の照明器具の発光スペクトル、周囲温度および湿度などの情報を調節することもできる。具体的な調節方式について照度計に関する記載を参照し、繰り返し説明しない。
【００６５】
本開示はシステム、方法および／またはコンピュータプログラム製品でもよい。コンピュータプログラム製品はコンピュータ読み取り可能な記憶媒体を含み、プロセッサに本開示の各観点を実現させるためのコンピュータ読み取り可能プログラム命令をそれに記憶してもよい。
【００６６】
コンピュータ読み取り可能な記憶媒体は命令実行機器により用いられる命令を保持および記憶する有形機器でもよい。コンピュータ読み取り可能な記憶媒体は、これに限定されず、例えば、電気記憶機器、磁気記憶機器、光記憶機器、電磁記憶機器、半導体記憶機器または上述の任意の適切な組合せでもよい。コンピュータ読み取り可能な記憶媒体のより具体的な例（網羅的でないリスト）は、ポータブルコンピュータディスク、ハードディスク、ランダムアクセスメモリ（ＲＡＭ）、リードオンリーメモリ（ＲＯＭ）、消去可能プログラムリードオンリーメモリ（ＥＰＲＯＭあるいはフラッシュメモリ）、スタティックランダムアクセスメモリ（ＳＲＡＭ）、ポータブルコンパクトディスクＲＯＭ（ＣＤ−ＲＯＭ）、デジタル多機能ディスク（ＤＶＤ）、メモリースティック、フロッピーディスク、機械符号化機器を含み、例えばその上に命令を記憶している穴空きカードまたは溝内突起構造、および上述の任意の適切な組合せでもよい。ここで用いられるコンピュータ読み取り可能な記憶媒体は瞬時信号自体（例えば無線電波または他の伝搬自在な電磁波、波導または他の伝送媒体を介して伝搬される電磁波（例えば、光ファイバーケーブルを介する光パルス）、あるいは電線を介して伝送される電気信号）と解釈されない。
【００６７】
ここで記載されるコンピュータ読み取り可能プログラム命令はコンピュータ読み取り可能な記憶媒体から各コンピュータ／プロセッサにダウンロードされる、または、ネットワーク、例えばインターネット、ローカルエリアネットワーク、広域ネットワークおよび／または無線インターネットを介して外部コンピュータまたは外部記憶機器にダウンロードされる。ネットワークは銅伝送ケーブル、光ファイバー伝送、無線伝送、ルータ、ファイアウォール、交換機、ゲートウェイコンピュータおよび／またはエッジサーバを含む。各コンピュータ／プロセッサ中のネットワークインタフェースカードまたはネットワークインタフェースは、ネットワークからコンピュータ読み取り可能プログラム命令を受信し、当該コンピュータ読み取り可能プログラム命令を転送し、各コンピュータ／プロセッサ中のコンピュータ読み取り可能な記憶媒体中に記憶する。
【００６８】
本開示の操作を実行するためのコンピュータプログラム命令はアセンブラ命令、命令セットアーキテクチャ（ＩＳＡ）命令、機器命令、機器関連命令、マイクロコード、ファームウエア命令、状態設置データ、あるいは１種類または複数種類のプログラミング言語の任意の組み合わせにより編集するソースコードまたはオブジェクトコードでもよく、前記プログラミング言語はオブジェクト指向のプログラミング言語（例えばＳｍａｌｌｔａｌｋ、Ｃ＋＋など、および通常の手続き型プログラミング言語）例えば「Ｃ」言語または類似のプログラミング言語を含む。コンピュータ読み取り可能プログラム命令は、すべてユーザコンピュータ上で実行されてもよく、一部がユーザコンピュータ上で実行されてもよく、１つの独立したパッケージとして実行されてもよく、一部がユーザコンピュータ上で一部がリモートコンピュータ上で実行されてもよく、あるいはすべてリモートコンピュータまたはサーバー上で実行されてもよい。リモートコンピュータに関するケースにおいて、リモートコンピュータは任意の種類のネットワーク（ローカルエリアネットワーク（ＬＡＮ）または広域ネットワーク（ＷＡＮ）を含む）を介してユーザコンピュータと接続し、あるいは外部コンピュータと接続する（例えばインターネットサービスプロバイダを用いてインターネットを介して接続する）。ある実施例において、コンピュータ読み取り可能プログラム命令のステータス情報を用いて電子回路（例えばプログラマブルロジック回路、フィールドプログラマブルゲートアレイ（ＦＰＧＡ）またはプログラマブルロジックアレイ（ＰＬＡ））をカスタマイズし、当該電子回路はコンピュータ読み取り可能プログラム命令を実行でき、これにより本開示の各観点を実現する。
【００６９】
ここで、本開示の実施例による方法、装置（システム）およびコンピュータプログラム製品のフローチャートおよび／またはブロック図を参照して、本開示の各観点を説明する。フローチャートおよび／またはブロック図の各ブロックおよびフローチャートおよび／またはブロック図の各ブロックの組合せは、いずれもコンピュータ読み取り可能プログラム命令により実現されると理解すべきである。
【００７０】
これらのコンピュータ読み取り可能プログラム命令を汎用コンピュータ、専用コンピュータまたは他のプログラマブルデータ処理装置のプロセッサに供給することで、機器を生成することができ、これらの命令がコンピュータまたは他のプログラマブルデータ処理装置のプロセッサにより実行される時、フローチャートおよび／またはブロック図の１つまたは複数のブロック中で規定される機能／動作を実現する装置を生成する。これらのコンピュータ読み取り可能プログラム命令をコンピュータ読み取り可能な記憶媒体中に記憶し、これらの命令がコンピュータ、プログラマブルデータ処理装置および／または他の装置を特定の方式で動作させることができ、これにより命令を記憶しているコンピュータ読み取り可能媒体は１つの製品を含み、それはフローチャートおよび／またはブロック図の１つまたは複数のブロック中で規定される機能／動作の各観点を実現する命令を含む。
【００７１】
コンピュータ読み取り可能プログラム命令をコンピュータ、他のプログラマブルデータ処理装置、または他の装置にロードし、コンピュータ、他のプログラマブルデータ処理装置または他の装置上で一連の操作ステップを実行させ、コンピュータが実現するプロセスを生成し、これによりコンピュータ、他のプログラマブルデータ処理装置または他の装置上で実行する命令にフローチャートおよび／またはブロック図の１つまたは複数のブロック中で規定される機能／動作を実現させる。
【００７２】
図中のフローチャートおよびブロック図は本開示の複数の実施例によるシステム、方法およびコンピュータプログラム製品の実現可能なアーキテクチャ、機能および操作を示す。この点で、フローチャートまたはブロック図中の各ブロックは１つのモジュール、プログラムセグメントまたは命令の一部を示し、前記モジュール、プログラムセグメントまたは命令の一部は１つまたは複数の所定の論理機能を実現するための実行可能な命令を含む。
【００７３】
ある代替する実現において、ブロック中で表記される機能は図中で表記される順序と異なる順序で発生してもよい。たとえば、２つの連続するブロックは実質的に略並行して実行され、これらは逆の順序で実行される場合もあり、これは関連する機能により定められる。なお、ブロック図および／またはフローチャート中の各ブロック、およびブロック図および／またはフローチャート中のブロックの組合せは、所定の機能または動作を実行するための専用のハードウェアによるシステムで実現され、あるいは、専用ハードウェアとコンピュータ命令の組合せにより実現される。
【００７４】
以上、本開示の各実施例を説明したが、上述の説明は例示的であり、網羅的ではなく、かつ開示された各実施例に限定されるものでもない。説明された各実施例の範囲及び趣旨を超えない場合、当業者にとって多くの修正および変更はいずれも自明である。本文で用いられる用語の選択は、各実施例の原理、実際の適用または市場における技術の技術改良を最適に説明するため、あるいは当業者が本文により開示される各実施例を理解するためのものである。
【符号の説明】
【００７５】
１０１  一列の照明器具
１０１１  バードケージ
１０２  制御装置
１０２１  無線通信モジュール
１０２２  制御モジュール
１０２３  インタフェースモジュール
１０２４  アラートモジュール
１０２５  接続線端子
１０２６  タッチパネル
１０２６１  モード切替ボタン
１０３  電子機器
【図１】
2019024490.tif 000003
【図２Ａ】
2019024490.tif 000004
【図２Ｂ】
2019024490.tif 000005
【図３】
2019024490.tif 000006
【図４】
2019024490.tif 000007